【手続補正書】
【提出日】平成31年3月1日(2019.3.1)
【手続補正１】
【補正対象書類名】明細書
【補正対象項目名】００１０
【補正方法】変更
【補正の内容】
【００１０】
上記目的を達成するために本発明は、投入された印刷ジョブを処理して画像形成装置で印刷可能な画像データを生成する処理手段と、前記処理手段により生成された画像データを前記画像形成装置へ送信する送信手段と、前記送信手段により送信された画像データのうち前記画像形成装置で未印刷の画像データのデータ量が閾値を超えたか否かを判定する判定手段と、前記判定手段により前記未印刷の画像データのデータ量が前記閾値を超えたと判定された場合に、後続の印刷ジョブにおける画像データの送信を保留すると共に、前記後続の印刷ジョブの属性を示す情報であって前記処理手段により生成された画像データを含まないジョブ情報を前記画像形成装置へ送信するよう、前記送信手段を制御する制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
投入された印刷ジョブを処理して、画像形成装置で印刷可能な画像データを生成する処理手段と、
前記処理手段により生成された画像データを前記画像形成装置へ送信する送信手段と、
前記送信手段により送信された画像データのうち前記画像形成装置で未印刷の画像データのデータ量が閾値を超えたか否かを判定する判定手段と、
前記判定手段により前記未印刷の画像データのデータ量が前記閾値を超えたと判定された場合に、後続の印刷ジョブにおける画像データの送信を保留すると共に、前記後続の印刷ジョブの属性を示す情報であって前記処理手段により生成された画像データを含まないジョブ情報を前記画像形成装置へ送信するよう、前記送信手段を制御する制御手段と、を有することを特徴とする印刷制御装置。
【請求項２】
前記制御手段は、前記後続の印刷ジョブにおける画像データの送信が保留された後に、前記判定手段により前記データ量が前記閾値を超えなくなったと判定された場合は、前記送信が保留されていた画像データの送信を再開するよう前記送信手段を制御することを特徴とする請求項１に記載の印刷制御装置。
【請求項３】
前記制御手段は、前記ジョブ情報を送信済みで且つ前記画像データを未送信の印刷ジョブについて、前記画像形成装置からキャンセル指示を受けると、前記キャンセル指示に対応する印刷ジョブをキャンセルすることを特徴とする請求項１または２に記載の印刷制御装置。
【請求項４】
前記制御手段は、前記ジョブ情報を送信済みで且つ前記画像データを未送信の印刷ジョブについて、割り込み処理の指示を受けると、前記送信が保留されていた画像データの送信を再開する優先順位を、前記画像データを未送信の他の印刷ジョブよりも上げることを特徴とする請求項２に記載の印刷制御装置。
【請求項５】
前記制御手段は、前記ジョブ情報を送信済みで且つ前記画像データを未送信の印刷ジョブのステータスが変化した場合は、前記画像形成装置へステータスの変化を通知することを特徴とする請求項１〜４のいずれか１項に記載の印刷制御装置。
【請求項６】
前記ステータスの変化の通知は、前記後続の印刷ジョブのジョブ情報の再送信によってなされることを特徴とする請求項５に記載の印刷制御装置。
【請求項７】
前記処理手段による処理にはＲＩＰ処理が含まれ、前記ステータスには、ＲＩＰ処理の進捗状態が含まれることを特徴とする請求項５または６に記載の印刷制御装置。
【請求項８】
印刷制御装置と、前記印刷制御装置と通信可能に接続された画像形成装置とから構成される印刷システムであって、
前記印刷制御装置は、
投入された印刷ジョブを処理して前記画像形成装置で印刷可能な画像データを生成する処理手段と、
前記処理手段により生成された画像データを前記画像形成装置へ送信する送信手段と、
前記送信手段により送信された画像データのうち前記画像形成装置で未印刷の画像データのデータ量が閾値を超えたか否かを判定する判定手段と、
前記判定手段により前記未印刷の画像データのデータ量が前記閾値を超えたと判定された場合に、後続の印刷ジョブにおける画像データの送信を保留すると共に、前記後続の印刷ジョブの属性を示す情報であって前記処理手段により生成された画像データを含まないジョブ情報を前記画像形成装置へ送信するよう、前記送信手段を制御する制御手段と、を有し、
前記画像形成装置は、
前記印刷制御装置から受信したジョブ情報に基づいて、前記印刷制御装置に投入された印刷ジョブのジョブ情報を表示する表示手段を有することを特徴とする印刷システム。
【請求項９】
前記画像形成装置の前記表示手段は、前記画像データを受信済みの印刷ジョブのジョブ情報と前記画像データを未送信の印刷ジョブのジョブ情報とを併せて表示することを特徴とする請求項８に記載の印刷システム。
【請求項１０】
前記印刷制御装置の前記制御手段は、前記ジョブ情報を送信済みで且つ前記画像データを未送信の印刷ジョブのステータスが変化した場合は、ステータスの変化を前記画像形成装置へ通知することを特徴とする請求項９または１０に記載の印刷システム。
【請求項１１】
前記画像形成装置の前記表示手段は、ステータスの変化の通知を受信すると、前記通知に基づいて、前記投入された印刷ジョブのステータスの表示を更新することを特徴とする請求項１０に記載の印刷システム。
【請求項１２】
請求項１〜７のいずれか１項に記載の印刷制御装置と、前記印刷制御装置と通信可能に接続された画像形成装置とから構成されることを特徴とする印刷システム。
【請求項１３】
投入された印刷ジョブを処理して画像形成装置で印刷可能な画像データを生成する処理ステップと、
前記処理ステップにより生成された画像データを前記画像形成装置へ送信する送信ステップと、
前記送信ステップにより送信された画像データのうち前記画像形成装置で未印刷の画像データのデータ量が閾値を超えたか否かを判定する判定ステップと、
前記判定ステップにより前記未印刷の画像データのデータ量が前記閾値を超えたと判定された場合に、後続の印刷ジョブにおける画像データの送信を保留すると共に、前記後続の印刷ジョブの属性を示す情報であって前記処理ステップにおいて生成された画像データを含まないジョブ情報を前記画像形成装置へ送信する制御ステップと、を有することを特徴とする印刷制御方法。
【請求項１４】
印刷制御装置と、前記印刷制御装置と通信可能に接続された画像形成装置とから構成される印刷システムの制御方法であって、
前記印刷制御装置において、
投入された印刷ジョブを処理して前記画像形成装置で印刷可能な画像データを生成する処理ステップと、
前記処理ステップにより生成された画像データを前記画像形成装置へ送信する送信ステップと、
前記送信ステップにより送信された画像データのうち前記画像形成装置で未印刷の画像データのデータ量が閾値を超えたか否かを判定する判定ステップと、
前記判定ステップにより前記未印刷の画像データのデータ量が前記閾値を超えたと判定された場合に、後続の印刷ジョブにおける画像データの送信を保留すると共に、前記後続の印刷ジョブの属性を示す情報であって前記処理ステップにおいて生成された画像データを含まないジョブ情報を前記画像形成装置へ送信する制御ステップと、を実行し、
前記画像形成装置において、前記印刷制御装置から受信したジョブ情報に基づいて、前記印刷制御装置に投入された印刷ジョブのジョブ情報を表示する表示ステップを実行することを特徴とする印刷システムの制御方法。
【請求項１５】
請求項１３に記載の印刷制御方法をコンピュータに実行させることを特徴とするプログラム。